(57)【特許請求の範囲】
【請求項１】
映像信号を生成して出力するエンタテインメント装置において、
映像信号を生成して出力する装置本体と、
前記装置本体に連結されて、前記装置本体から出力される映像信号に基づいて画像表示を行うモニタ装置とを有し、
前記装置本体は、
装着される記録媒体に記録されている情報を読み出して、映像信号を生成して出力する信号生成部と、
前記信号生成部で生成された映像信号を外部に出力する信号出力端子と、
外部から電力供給を受けるための本体側電源コネクタと、
これらを収容する筐体とを有し、
前記本体側電源コネクタは、前記筐体の前記モニタ装置が連結される面に設けられ、
前記モニタ装置は、
画像を表示するための表示デバイスを有するモニタ部と、
当該モニタ部を前記筐体に連結固定する固定部と、
当該モニタ装置が前記筐体に連結固定されたとき、前記信号出力端子と接続して当該信号出力端子からの信号を受け入れる信号入力端子と、
外部から電力供給を受けるためのモニタ側電源コネクタと、
前記装置本体に連結された際に前記本体側電源コネクタに接続し、前記モニタ側電源コネクタからの電力を該本体側電源コネクタに供給するモニタ側電源供給コネクタとを備え、
前記モニタ部と固定部とは、回動自在に連結されていること
を特徴とするエンタテインメント装置。
【請求項２】
請求項１に記載のエンタテインメント装置において、
前記モニタ装置は、前記入力端子に入力される映像信号をモニタ装置外部に出力するための信号出力端子をさらに有すること
を特徴とするエンタテインメント装置。
【請求項３】
音声信号および映像信号を生成して出力するエンタテインメント装置において、
音声信号および映像信号を生成して出力する装置本体と、
前記装置本体に接続されて、前記装置本体から出力される音声信号および映像信号に基づいて音響出力および画像表示を行うモニタ装置とを有し、
前記装置本体は、
装着される記録媒体に記録されている情報を読み出して、音声信号および映像信号を生成して出力する信号生成部と、
前記信号生成部で生成された音声信号および映像信号を外部に出力する信号出力端子と、
外部から電力供給を受けるための本体側電源コネクタと、
これらを収容する筐体とを有し、
前記本体側電源コネクタは、前記筐体の前記モニタ装置が連結される面に設けられ、
前記モニタ装置は、
画像を表示するための表示デバイス、および、音響出力を行う音響デバイスを有するモニタ部と、
当該モニタ部を前記筐体に連結固定する固定部と、
当該モニタ装置が前記筐体に連結固定されたとき、前記信号出力端子と接続して当該信号出力端子からの信号を受け入れる信号入力端子と、
外部から電力供給を受けるためのモニタ側電源コネクタと、
前記装置本体に連結された際に前記本体側電源コネクタに接続し、前記モニタ側電源コネクタからの電力を該本体側電源コネクタに供給するモニタ側電源供給コネクタとを備え、
前記モニタ部と固定部とは、回動自在に連結されていること
を特徴とするエンタテインメント装置。
【請求項４】
請求項３に記載のエンタテインメント装置において、
前記モニタ装置は、前記入力端子に入力される音声信号および映像信号をモニタ装置外部に出力するための信号出力端子をさらに有する
ことを特徴とするエンタテインメント装置。
【請求項５】
請求項１、２、３および４のいずれか一項に記載のエンタテインメント装置において、
前記筐体上部側には、光ディスクを装着するための収容部、および、当該収容部を覆う、開閉可能な蓋部が設けられ、
前記モニタ部は、前記蓋部に重なり、前記表示デバイスが当該蓋部に対向する状態、および、蓋部から引き起こされ、筐体前方から前記表示デバイスが望める状態の各姿勢を維持することができ、かつ、それらの姿勢の間で少なくとも回動可能であること
を特徴とするエンタテインメント装置。
【請求項６】
請求項１、２、３、４及び５のいずれか一項に記載のエンタテイメント装置において、
前記信号入力端子、前記モニタ側電源コネクタ及び前記モニタ側電源供給コネクタは、いずれも、前記固定部に設けられていること
を特徴とするエンタテイメント装置。
【請求項７】
音声信号および映像信号を生成して出力するエンタテインメント装置において、
音声信号および映像信号を生成して出力する装置本体と、
前記装置本体に取り付けられて、前記装置本体から出力される音声信号および映像信号に基づいて音響出力および画像表示を行うモニタ装置とを有し、
前記装置本体は、その上部側に、光ディスクを装着するための収容部、および、当該収容部を覆う、開閉可能な円形の蓋部が設けられていると共に、その前記モニタ装置が取り付けられる側に、外部から電力供給を受けるための本体側電源コネクタが設けられ、
前記モニタ装置は、
表示パネル及び該表示パネルを覆う円形のパネルケースを有するパネル部と、外部から電力供給を受けるためのモニタ側電源コネクタと、前記装置本体に取り付けられた際に前記本体側電源コネクタに接続し、前記モニタ側電源コネクタからの電力を該本体側電源コネクタに供給するモニタ側電源供給コネクタとを有し、
円形の前記蓋部の中心と円形の前記パネルケースの中心とが重なり、前記表示パネル及び前記パネルケースが当該蓋部に対向する状態、および、該蓋部から引き起こされ、前記装置本体の前方から該表示パネルが望める状態の各姿勢を維持することができ、かつ、それらの姿勢の間で少なくとも回動可能な状態に前記装置本体に取り付けられること
を特徴とするエンタテインメント装置。
【請求項８】
エンタテインメント装置の装置本体に連結して該装置本体から出力される映像信号による映像を表示するためのモニタ装置であって、
画像を表示するための表示デバイスを有するモニタ部と、
当該モニタ部を前記装置本体に連結固定する固定部と、
当該モニタ装置が前記装置本体に連結固定されたとき、前記装置本体の信号出力端子と接続して当該信号出力端子からの信号を受け入れる信号入力端子と、
外部から電力供給を受けるためのモニタ側電源コネクタと、
前記装置本体に連結固定されたときに、装置本体の本体側電源コネクタに接続し、前記モニタ側電源コネクタからの電力を該本体側電源コネクタに供給するモニタ側電源供給コネクタと、を備え、
前記モニタ部と固定部とは、回動自在に連結されていること
を特徴とするモニタ装置。
【請求項９】
請求項８に記載のモニタ装置において、
前記入力端子に入力される映像信号をモニタ装置外部に出力するための信号出力端子をさらに有する
ことを特徴とするモニタ装置。
【請求項１０】
エンタテインメント装置の装置本体に連結して該装置本体から出力される映像信号による映像を表示すると共に、音響を出力するためのモニタ装置であって、
画像を表示するための表示デバイス、および、音響出力を行う音響デバイスを有するモニタ部と、
前記モニタ部を前記筐体に連結固定する固定部と、
当該モニタ装置が前記筐体に連結固定されたとき、前記装置本体の信号出力端子と接続して当該信号出力端子からの信号を受け入れる信号入力端子と、
外部から電力供給を受けるためのモニタ側電源コネクタと、
前記装置本体に連結固定されたときに、装置本体の本体側電源コネクタに接続し、前記モニタ側電源コネクタからの電力を該本体側電源コネクタに供給するモニタ側電源供給コネクタと、を備え、
前記モニタ部と固定部とは、回動自在に連結されていること
を特徴とするモニタ装置。
【請求項１１】
請求項１０に記載のモニタ装置において、
前記入力端子に入力される音声信号および映像信号をモニタ装置外部に出力するための信号出力端子をさらに有する
ことを特徴とするモニタ装置。
【請求項１２】
請求項８、９、１０および１１のいずれか一項に記載のモニタ装置において、
外部からの画像入力を受け入れるための画像入力端子をさらに有する
ことを特徴とするモニタ装置。
【請求項１３】
請求項８、９、１０、１１および１２のいずれか一項に記載のモニタ装置において、
前記モニタ部は、前記装置本体に連結された状態で、装置本体前方側から見える面に、前記表示デバイスを有する、
ことを特徴とするモニタ装置。
【請求項１４】
請求項８、９、１０、１１、１２および１３のいずれか一項に記載のモニタ装置において、
前記モニタ部は、前記表示デバイスとしての表示パネル及び該表示パネルを覆う円形のパネルケースを有するパネル部分と、該パネル部分を前記固定部に連結固定する基部と、を備えていること
を特徴とするモニタ装置。
【請求項１５】
請求項１４に記載のモニタ装置において、
前記モニタ部は、前記パネル部分の、前記表示デバイスの外側位置に、該表示デバイスと前記装置本体との接触を避けるためのストッパを有することを特徴とするモニタ装置。
【請求項１６】
請求項１３および１４のいずれか一項に記載のモニタ装置において、
前記モニタ部は、前記パネル部分に、前記表示デバイスの輝度調整操作部を有することを特徴とするモニタ装置。
【請求項１７】
請求項１０に記載のモニタ装置において、
前記モニタ部は、ヘッドホンジャックを有し、
前記ヘッドホンジャックは、前記信号入力端子を介して入力された音声信号を出力するものであることを特徴とするモニタ装置。
【請求項１８】
エンタテインメント装置の装置本体に連結して該装置本体から出力される映像信号による映像を表示するためのモニタ装置であって、
画像を表示するための表示デバイスを有するモニタ部と、
当該モニタ部を前記装置本体に連結固定するための固定部と、
当該モニタ装置が前記装置本体に連結固定されたとき、前記装置本体からの信号を受け入れる信号入力端子と、
外部から電力供給を受けるためのモニタ側電源コネクタと、
前記装置本体に連結固定されたときに、装置本体の本体側電源コネクタに接続し、前記モニタ側電源コネクタからの電力を該本体側電源コネクタに供給するモニタ側電源供給コネクタと、を備え、
前記モニタと前記固定部とは、前記固定部が前記装置本体に連結固定された状態で、当該モニタ部を前記装置本体上面に重なって位置する状態から、前記装置本体の上面から引き起こされた状態までの間で回動可能に連結されていることを特徴とするモニタ装置。
【請求項１９】
請求項１８に記載のモニタ装置において、
前記モニタ部は、前記装置本体に連結された状態で、装置本体上面からから引き起こされたとき、装置本体前方側から見える面に、前記表示デバイスを有することを特徴とするモニタ装置。
【請求項２０】
請求項１９に記載のモニタ装置において、
前記モニタ部は、前記引き起こされた状態が、前記装置本体の上面と鈍角をなすまでの範囲で回動可能に連結されていることを特徴とするモニタ装置。
【請求項２１】
請求項２０に記載のモニタ装置において、
前記モニタ部は、前記装置本体の上面に重なって位置する状態、および、前記引き起こされて、装置本体前方から表示デバイスが見得る状態の各姿勢を維持することができることを特徴とするモニタ装置。
【請求項２２】
請求項１８、１９、２０および２１のいずれか一項に記載のモニタ装置において、
前記モニタ部は、前記表示デバイスが配置されるパネル部分と、該パネル部分を前記固定部に連結固定する基部とを有することを特徴とするモニタ装置。
【請求項２３】
請求項２２に記載のモニタ装置において、
前記モニタ部は、前記パネル部分の、前記表示デバイスの外側位置に、該表示デバイスと前記装置本体との接触を避けるためのストッパを有することを特徴とするモニタ装置。
【請求項２４】
請求項２２および２３のいずれか一項に記載のモニタ装置において、
前記モニタ部は、前記パネル部分に、表示デバイスの輝度調整操作部を有することを特徴とするモニタ装置。
【請求項２５】
請求項１８、１９、２０、２１、２２、２３および２４のいずれか一項に記載のモニタ装置において、
前記モニタ部は、ヘッドホンジャックを有し、
前記信号入力端子は、前記装置本体から映像信号および音声信号を入力するためのものであり、
前記ヘッドホンジャックは、前記信号入力端子を介して入力された音声信号を出力するものであることを特徴とするモニタ装置。
【請求項２６】
請求項２５に記載のモニタ装置において、
前記信号入力端子に入力される映像信号をモニタ装置外部に出力するための信号出力端子をさらに有することを特徴とするモニタ装置。
【請求項２７】
請求項８、９、1０、１１、１２、１３、１４、１５、１６、１７、１８、１９、２０、２１、２２、２３、２４、２５および２６のいずれか一項に記載のモニタ装置において、
前記信号入力端子、前記モニタ側電源コネクタ及び前記モニタ側電源供給コネクタは、いずれも、前記固定部に設けられていること
を特徴とするモニタ装置。
【発明の詳細な説明】
【０００１】
【発明の属する技術分野】
本発明は、音声信号、映像信号等を生成して、出力するエンタテインメント装置に係り、特に、記録媒体から情報を読み出して、音声信号、映像信号等を生成して、出力するエンタテインメント装置、および、これに用いるモニタ装置に関する。
【０００２】
【背景技術】
エンタテインメント装置は、ゲーム、音楽再生、映像再生等を行うことができる。この種のエンタテインメント装置としては、例えば、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ−ＲＯＭ（ＤＶＤ  Ｒｅａｄ  Ｏｎｌｙ  Ｍｅｍｏｒｙ）等の記録媒体から情報を読み出して、音声信号、映像信号等を生成して、出力するものがある。具体的には、ゲーム機、ＣＤプレーヤ、ＤＶＤプレーヤ等が挙げられる。
【０００３】
これらのうち、ゲーム機、ＣＤ、ＤＶＤプレーヤ等の光ディスクを用いるエンタテインメント装置は、光ピックアップ部を含むディスク装置と、ＣＰＵ（Ｃｅｎｔｒａｌ  Ｐｒｏｃｅｓｓｉｎｇ  Ｕｎｉｔ）および画像処理ユニットが実装された回路基板と、これらを収納する筐体とを備えている。そして、この種のエンタテインメント装置は、光ディスクに記録された画像情報、音声情報等を光ピックアップ部で検出し、ＣＰＵおよび画像処理ユニットで演算処理して、映像信号、音声信号等を生成し、これらの信号を出力する。外部の表示装置では、映像信号、音声信号により、光ディスクに記録された画像情報、音声情報を再生する。
【０００４】
この種のエンタテインメント装置は、通常、テレビジョン受像機に接続して、これを表示装置として利用する構成となっているものが多い。その理由は、この種のエンタテインメント装置のユーザ、特に、家庭で使用するユーザの大部分が、テレビジョン受像機を持っていることによる。すなわち、テレビジョン受像機を表示装置として利用することで、固有の表示装置を省略して、小型に、かつ、安価に製作することを可能としたためである。
【０００５】
【発明が解決しようとする課題】
しかしながら、この種のエンタテインメント装置は、その普及に伴って、一家に一台から一人に一台の時代に至りつつある。そのため、テレビジョン受像機に接続しない状態でも、ゲーム、映像、音楽等を楽しめるようにして欲しいという要望が生じてくることが考えられる。また、テレビジョン受像機を本来のテレビ番組を楽しみたい者がいる場合に、ゲーム等を行うことができないため、テレビジョン受像機に頼らずに、ゲーム等を行えるようにしたエンタテインメント装置の開発も必要である。
【０００６】
本発明の目的は、テレビジョン受像機に接続しても、また、それ自身でも画像の表示を行い、音響を再生することができるエンタテインメント装置を提供することにある。
【０００７】
また、本発明の他の目的は、エンタテインメント装置において画像の表示を行い、音響を再生することができるようにするためのモニタ装置を提供することにある。
【０００８】
【課題を解決するための手段】
前記目的を達成するため、本発明の第１の態様は、
映像信号を生成して出力するエンタテインメント装置において、
映像信号を生成して出力する装置本体と、
前記装置本体に連結されて、前記装置本体から出力される映像信号に基づいて画像表示を行うモニタ装置とを有し、
前記装置本体は、
装着される記録媒体に記録されている情報を読み出して、映像信号を生成して出力する信号生成部と、
前記信号生成部で生成された映像信号を外部に出力する信号出力端子と、
外部から電力供給を受けるための本体側電源コネクタと、
これらを収容する筐体とを有し、
前記本体側電源コネクタは、前記筐体の前記モニタ装置が連結される面に設けられ、
前記モニタ装置は、
画像を表示するための表示デバイスを有するモニタ部と、
当該モニタ部を前記筐体に連結固定する固定部と、
当該モニタ装置が前記筐体に連結固定されたとき、前記信号出力端子と接続して当該信号出力端子からの信号を受け入れる信号入力端子と、
外部から電力供給を受けるためのモニタ側電源コネクタと、
前記装置本体に連結された際に前記本体側電源コネクタに接続し、前記モニタ側電源コネクタからの電力を該本体側電源コネクタに供給するモニタ側電源供給コネクタとを備え、
前記モニタ部と固定部とは、回動自在に連結されていることを特徴とする。
【０００９】
また、本発明の他の目的を達成するため、本発明の第２の態様は、
エンタテインメント装置の装置本体に連結して該装置本体から出力される映像信号による映像を表示するためのモニタ装置であって、
画像を表示するための表示デバイスを有するモニタ部と、
当該モニタ部を前記装置本体に連結固定する固定部と、
当該モニタ装置が前記装置本体に連結固定されたとき、前記装置本体の信号出力端子と接続して当該信号出力端子からの信号を受け入れる信号入力端子と、
外部から電力供給を受けるためのモニタ側電源コネクタと、
前記装置本体に連結固定されたときに、装置本体の本体側電源コネクタに接続し、前記モニタ側電源コネクタからの電力を該本体側電源コネクタに供給するモニタ側電源供給コネクタと、を備え、
前記モニタ部と固定部とは、回動自在に連結されていることを特徴とする。
【００１０】
【発明の実施の形態】
以下、本発明の実施の形態について、図面を参照して説明する。以下の実施形態では、ゲームを行うことができるエンタテインメント装置を例として説明する。このエンタテインメント装置は、ゲームの他、映像の再生、音楽の再生等をも行えることはもちろんである。
【００１１】
本実施形態のエンタテインメント装置は、図７に示すように、音声信号および映像信号を生成して出力する装置本体１と、装置本体１に連結されて、装置本体１から出力される音声信号および映像信号に基づいて音響出力および画像表示を行うモニタ装置９０とを有する。モニタ装置９０は、装置本体１に着脱可能に取り付けられている。モニタ装置９０は、装置本体１の上面に重なって位置する状態、および、装置本体１の上面から離れた状態で、装置本体１前方から表示部（表示デバイス）が望める状態の各姿勢を維持することができ、かつ、それらの姿勢の間で少なくとも回動可能な状態に前記装置本体に取り付けられる。従って、本実施形態のエンタテインメント装置は、モニタ装置９０を取り外して、装置本体１のみでゲーム等を楽しむことができる。
【００１２】
図１は、居室１００において、本実施形態のエンタテインメント装置を装置本体１のみで利用する場合の典型的な利用態様を示す。図１の例では、装置本体１に、映像、音声等を出力するテレビジョン受像機３を接続すると共に、当該エンタテインメント装置１に指示を送る操作装置であるコントローラ２を接続した状態を示す。なお、装置本体１は、図示しないＡＣアダプタから直流電力の供給を受ける構成となっている。ＡＣアダプタからのＤＣプラグは、図１の場合、装置本体１の背面側に接続される。
【００１３】
エンタテインメント装置は、それをゲーム装置として用いる場合、例えば、光ディスク等に記録されているゲームプログラム等を読み出して、使用者（ゲームプレーヤ）が操作するコントローラ２からの指示に応じて実行するものである。なお、エンタテインメント装置は、ゲームの実行に際して、ゲームの進行、画像表示、音声出力等の制御を行う。
【００１４】
このエンタテインメント装置の装置本体１は、図２〜図６に示されるように、光ディスク装置６０、および、情報処理を行って信号を生成する回路基板４０と、これらを収容する筐体１０とを有する。光ディスク装置６０は、筐体１０の上部側に配置され、回路基板４０は、筐体１０の下部側に配置される。光ディスク装置６０と回路基板４０とは、光ディスク装置６０に装着される記録媒体（図３に示す例ではＣＤ４）に記録されている情報を読み出して、音声信号および映像信号を生成して出力する信号生成部を構成する。
【００１５】
筐体１０は、例えば、ＡＢＳ樹脂から構成され、装置本体を収容するアッパーケース１１と、ロアーケース１２とを備え、平面四角形状に形成されている。
【００１６】
アッパーケース１１は、装置内部を上方から覆うものであり、当該アッパーケース１１の中央部分に、平面略円形状の蓋部１３が設けられている。この蓋部１３の内部に、記録媒体収容部１４が設けられている（図３）。
【００１７】
アッパーケース１１の上面において、蓋部１３の左側には、装置の電源をオンまたはオフする際に操作する電源ボタン１５が設けられている。また、アッパーケース１１の上面において、蓋部１３の右側には、当該蓋部１３の開閉を行うために蓋部１３に対して進退する図示しない係止部材が内蔵された開閉ボタン１６が設けられている。
【００１８】
蓋部１３は、アッパーケース１１に対して端部が回動自在に取り付けられている。図３に示されるように、蓋部１３の基部とアッパーケース１１との間には、蓋部１３の回動軸周りに巻回されるコイルバネ１７が設けられている。蓋部１３は、このコイルバネ１７の付勢力を利用して開閉する構造となっている。
【００１９】
具体的には、図２の状態において、開閉ボタン１６を押すと、内蔵された係止部材の蓋部１３との係合が解除され、コイルバネ１７の付勢力により蓋部１３が開き、記録媒体収容部１４が露出する。記録媒体収容部１４内には、記録媒体として、例えば、ＣＤ等の光ディスク４を保持するチャッキング部材６２が設けられている。光ディスク４をチャッキング部材６２に装着し、蓋部１３を閉鎖し、電源ボタン１５を押すと、装置本体１の電源が入り、光ディスク４の記録内容を再生できるようになる。
【００２０】
また、図２に示すように、筐体１０の図中手前の側面には、４つの開口１８が形成されている。上段に配置される２つの開口１８には、装置本体を構成する回路基板４０に実装されるメモリーカード用接続部４３Ａが配置される。下段に配置される２つの開口１８には、同様に回路基板４０に実装されるコントローラ接続部４３Ｂが配置される。なお、メモリーカード用接続部４３Ａが配置される開口１８は、シャッタ１８Ａにより塞がれている。メモリーカードの先端を押し込むと、このシャッタ１８Ａが開き、当該メモリーカードをメモリーカード用接続部４３Ａに接続できるようになっている。
【００２１】
一方、図６に示すように、筐体１０の背面側、すなわち、開口１８が形成される側面とは反対側の面には、光ディスク等の記録媒体に記録されている映像信号、音声信号等の各種信号を、テレビジョン受像機３に出力するための、信号出力端子を露出させる開口１９Ａと、外部電源から装置本体に電力の供給を受けるための電源コネクタを露出させる開口１９Ｂとが形成されている。また、筐体１０の背面側には、モニタ装置９０を、筐体１０に連結するためのネジ孔１２５が２個設けられている。図７は、筐体１０にモニタ装置９０を連結した状態を示す。
【００２２】
筐体１０に収容される信号生成部は、図４〜図５に示されるように、装置本体１の制御を行う回路基板４０と、この回路基板４０と積層され、該回路基板４０を上下で挟む金属製のシールド板５１、５２と、シールド板５１の上面側に当接して載置される光ピックアップ部６１を含むディスク装置６０と、三端子型レギュレータ４６の放熱器としてのアルミニウム製のヒートシンク７０とを備えている。
【００２３】
回路基板４０には、演算処理装置となるＣＰＵ４１、画像処理ユニット４２を含む種々の回路素子が実装される他、メモリーカード用接続部４３Ａおよびコントローラ接続部４３Ｂを一体化して構成される接続ユニット４３と、電源コネクタ４４と、信号出力端子として用いられる映像音声出力端子４５とが実装されている。
【００２４】
また、回路基板４０には、電源コネクタ４４を介してＣＰＵ４１に電力を供給するための電力供給配線パターンが形成されている。この電力供給配線パターン上には、供給電圧の安定化を図るために、三端子型レギュレータ４６が実装されている。
【００２５】
さらに、このような回路基板４０の周縁部分には、アース電位を取るために、図示しないアースパターンが形成されている。なお、このアースパターンは、回路基板４０の裏面側周縁部分にも形成されている。
【００２６】
そして、回路基板４０の前方および後方端縁のアースパターンが形成される位置には、固定ネジが貫通する挿入孔が複数形成されている（図示略）。
【００２７】
シールド板５１は、回路基板４０の回路素子実装面を覆うものである。シールド板５１は、ディスク装置６０が当接する平板状部５１１およびこの平板状部５１１の周縁に設けられるリブ状部５１２を備える。これら平板状部５１１およびリブ状部５１２が、ＣＰＵ４１、画像処理ユニット４２の三側方および上方を被覆することにより、これらの回路素子４１、４２から電磁波が装置外部に漏れるのを防止する。なお、図４および図５に示されるように、平板状部５１１およびリブ状部５１２は、回路基板４０とシールド板５１とを組み合わせた状態で、接続ユニット４３を外側に露出させるように形成される。これにより、ＣＰＵ４１等から発生する電磁波がメモリーカード用接続部４３Ａ、コントローラ接続部４３Ｂにノイズとして干渉しないよう配慮されている。
【００２８】
ディスク装置６０は、光ピックアップ部６１、チャッキング部材６２、およびケース６３を含んで構成され、ケース６３内部には、チャッキング部材６２を回転させるモータや、光ピックアップ部６１をスライドさせるモータが収納されている。また、このディスク装置６０は、回路基板４０とケーブルを介して電気的に接続され、光ピックアップ部６１で検出された光ディスク４の記録内容は、電気信号として回路基板４０のＣＰＵ４１等に送られる。
【００２９】
以上のような回路基板４０、シールド板５１、５２、およびディスク装置６０が収納されるロアーケース１２の底面には、略中央部分に立設される３つの突起１２１と、固定部材となる固定ネジを挿入する挿入孔とが形成されているとともに、ロアーケース１２の内周側面には、複数の突起１２３が形成されている。
【００３０】
略中央部に立設される３つの突起１２１は、ディスク装置６０の荷重を支持するために設けられ、シールド板５１、５２、および回路基板４０を貫通し、ディスク装置６０の下面を支持する。従って、ディスク装置６０は、シールド板５１と直接当接するがその自重はあくまでもこれらの突起１２１により支持される。このため、ケース６３の周縁には、突起１２１と係合させるための係合孔６３１が３つ形成されている。なお、図示を略したが、突起１２１と係合孔６３１の間には、緩衝材が介装されていて、エンタテインメント装置１に作用した振動をこの緩衝材で吸収してディスク装置６０の振動を抑制している。
【００３１】
一方、アッパーケース１１の内周面には、ロアーケース１２の挿入孔の位置に応じて突起が突出して形成されるとともに（図示略）、回路基板４０のアースパターンに応じた位置に板状リブ１１２が突出して形成され、これらの突起および板状リブ１１２が押さえ部材とされる。
【００３２】
板状リブ１１２は、その先端がシールド板５１の切り起こし片５１３Ａに当接し、回路基板４０およびシールド板５１、５２をこれらの板の面外方向からロアーケース１２側に押さえつける押さえ部材であり、回路基板４０の側方にアースパターンの位置に対応するように形成されている。この板状リブ１１２は、回路基板４０、シールド板５１、５２、およびディスク装置６０を収納した状態でアッパーケース１１およびロアーケース１２を組み合わせた場合、この板状リブ１１２に力が作用するため、板状リブ１１２の、基底部近傍のアッパーケース１１の内周面には、この板状リブを囲むように図示しない補強リブが格子状に形成されている。
【００３３】
また、アッパーケース１１の内周面であって、メモリーカード用接続部４３Ａに応じた開口１８に相当する部分には、図示しない金属製のシールド板が設けられ、この金属製のシールド板は、接続ユニット４３の上面、側面、および背面を覆うように構成され、コントローラ２からの入力信号や、メモリーカードへの出力信号がノイズの影響を極力受けないように構成されている。
【００３４】
そして、このシールド板は、アッパーケース１１の内周面にビス止め固定され、メモリーカード用接続部４３Ａの開口１８を塞ぐシャッタ１８Ａをアッパーケース１１に対して保持させるシャッタ保持手段としての機能も有する。
【００３５】
ヒートシンク７０は、三端子型レギュレータ４６に接続されるとともに、ロアーケース１２の内周側面に向かって延びる接続部７１と、この接続部７１の一端からロアーケース１２の内周側面に沿って延び、三端子型レギュレータ４６の熱を放出する本体放熱部７２とを備える。三端子型レギュレータ４６と接続部７１とは、クリップ７３により挟持される。これにより、面同士が当接しているので、当該三端子型レギュレータ４６の熱は速やかに接続部７１を介して本体放熱部７２から放出されるようになっている。
【００３６】
前記モニタ装置９０は、図７〜図１３に示すように、画像の表示、音響出力を行うためのモニタ部９１と、このモニタ部９１を筐体１０に着脱可能に連結固定する固定部９５とを有する。モニタ部９１と固定部９５とは、図１１に示すように、回動自在に連結されている。回動範囲は、例えば、モニタ部９１が装置本体の蓋部１３と重なる状態から装置本体１に対して垂直となる状態を超えて、鈍角となる範囲まで開閉できるようにする。なお、モニタ部９１を、垂直となる状態で止めるようにしてもよい。図７〜図１２は、モニタ部９１が装置本体１の筐体１０に連結された状態を示す。また、図１３は、モニタ装置９０を装置本体１から分離した状態を示す。
【００３７】
さらに、モニタ装置９０には、ＡＣアダプタ５（図２２Ａ参照）が付属する。このＡＣアダプタ６は、ソケット５Ａをコンセントに差し込んで、商用電流を整流して直流を生成して、電源プラグ６により出力する。ＡＣアダプタ５と電源プラグ６とはケーブル７で接続されている。
【００３８】
モニタ部９１は、図１２〜図１８示すように、画像表示および音響出力を行うためのパネル部分９１０と、それを固定部９５に連結固定する基部９２とで構成される。パネル部分９１０には、図１２および図１４に示すように、画像を表示するための表示デバイス９１１と、音響出力を行う音響デバイス９１２と、表示デバイスの輝度調整操作部９１３と、音量調整操作部９１４と、ストッパ９１６とが配置されている。本実施形態では、パネル部分９１０は、円盤状の形態を有する。モニタ部９１を円盤状のパネル部分９１０とした理由は、この部分が重なる装置本体１の蓋部１３の外形形状とほぼ一致するようにしたためである。このようにすることにより、モニタ装置を後付けする場合にも、外観デザインに対する違和感を与えにくいという利点がある。もちろん、この部分を円盤状としない構成としてもよい。例えば、四辺形、六角形等の形状とすることができる。
【００３９】
表示デバイス９１１は、例えば、図示していない液晶表示デバイスと、その駆動回路（図示せず）を搭載する基板８１（図１３参照）とを有する。もちろん、液晶表示デバイスに限定されない。表示デバイス９１１は、図１８に示すような、パネル部分９１０の内部空間９１５に収容される。この表示デバイス９１１は、モニタ部９１を装置本体１の蓋部１３に重なる状態とした場合に、蓋部１３の上面に対向する面に表示面９１１ａが設けられる。従って、モニタ部９１を引き起こして、図１２に示すように、装置本体１に対して立ち上がる姿勢とした場合に、表示面９１１ａが正面側に向くこととなる。なお、液晶表示デバイスとしては、例えば、ＴＦＴカラー液晶デバイスを用いることができる。もちろん、これに限定されない。また、本実施形態では、パネル部分９１０の内部空間９１５には、バックライトを有し、液晶表示デバイスに照明を行う。なお、消費電力の低減を図るため、反射型液晶表示デバイスを用いてもよい。
【００４０】
音響デバイス９１２は、本実施形態の場合、ステレオ効果を発揮できるように、左チャネル用および右チャネル用の各スピーカを配置している。また、図示していないが、これらのスピーカを駆動するための回路が、前述したパネル部分９１０の内部空間９１５に配置される。
【００４１】
ストッパ９１６は、パネル部分９１０の表示デバイス９１１の外側位置に、２個配置されている。これは、例えば、弾性部材、例えば、ゴム部材で構成される。これらのストッパ９１６は、モニタ部９１を装置本体１の蓋部１３に重ねた際に、表示面９１１ａが蓋部１３の表面に接触しないように空間を空けるためのものである。
【００４２】
基部９２は、本実施形態の場合、パネル部分９１０と一体的に設けられている。また、図１４、図１５、図１７に示すように、基部９２の基端側には、２箇所の切欠９３が設けられている。これらの切欠９３内には、それぞれヒンジを構成する軸９２１が、それぞれの先端が対向するように設けられている。なお、軸９２１は、図示しない弾性部材により付勢されており、軸方向に伸縮することができる。
【００４３】
固定部９５は、前述したモニタ部９１と連結されると共に、それ自身は、装置本体１の筐体１０の背面側に取り付けられる（例えば、図７、図１０、図１１、図１３、図１９−図２２Ｂ参照）。固定部９５は、前述したように、モニタ部９１を筐体１０に固定することの他に、モニタ部９１への給電を行うと共に、映像音声信号をモニタ部９１に送る機能をも有する。
【００４４】
給電、および、映像音声信号の伝送は、例えば、リード線により行われる。具体的には、フラットケーブル８２により行われる。フラットケーブル８２は、図２２Ａに示すように、固定部９５側においてコネクタ８３を介して基板８５に接続される。フラットケーブルに含まれる信号線のうち２本は、基板８５において、電源プラグ用ジャック８６に接続され、直流電力の供給に用いられる。また、フラットケーブル８２の他の信号線は、映像音声信号の伝達に用いられる。さらに、そのうち２本は、モニタ部９１に設けられている音量調整操作部９１４を経て戻され、ヘッドホンジャック（イヤホンジャックと称してもよい）９６Ｃ（図２０参照）に接続される。なお、ヘッドホンジャックへの接続を優先して、ヘッドホンジャックにヘッドホンのプラグが差し込まれたとき、音響デバイス９１２による再生をオフするようにしてもよい。
【００４５】
基板８５には、前述した電源プラグ用ジャック８６、電圧調整回路８７等が設けられる。電源プラグ用ジャック８６は、電源プラグ６の内側導体６ａと接続するためのピン８６ａと、電源プラグ６の外側導体６ｂと接続するための圧接片８６ｂとを有する。このピン８６ａと圧接片８６ｂとは、基板８５において、フラットケーブル８２の電源用信号線と、電圧調整回路８７とに接続される。電圧調整回路８７は、液晶駆動用の電圧を想定しているＡＣアダプタ５の出力電圧を装置本体１の動作電圧に合わせるために降圧する回路である。装置本体１の電圧が液晶動作用電圧と同じ場合には、省略してもよい。なお、基板８５に代えて、配線としてもよい。
【００４６】
固定部９５には、図１９および図２２Ａに示すように、フラットケーブル８２を通すためのスリット９５５が設けられている。また、モニタ部９１にも、図１７に示すように、対応する位置に、スリット９２５が設けられている。なお、図１９、図１７では、フラットケーブルを示していない。フラットケーブル８２は、図２２Ａに示すように、これらのスリット９５５および９２５を通って、固定部９５とモニタ部９１とを電気的に接続する。モニタ部９５と固定部９１との角度は、相対的に変位するため、フラットケーブル８２は、可撓性を有するものが好ましく用いられる。また、モニタ部９１の回動に対応できる長さとしてある。すなわち、モニタ装置９０を装置本体１上に倒した状態では、図１０に示すように、モニタ部９１のスリット９２５から外に出たフラットケーブル８２が、モニタ部９１と基部９５との間に入り、図１９に示すスリット９５５から固定部９５内に導かれる。
【００４７】
固定部９５には、その上端側に、前述した軸９２１を支持する軸受け９４を有する。この軸受け９４は、前述したモニタ部９１の切欠９３にはめ込むことができる幅となっている（例えば、図１０参照）。軸受け９４には、前述した軸９２１を挿通するための貫通孔９４１（図２２Ａ、図２２Ｂ参照）が設けられている。
【００４８】
モニタ部９１と固定部９５との連結は、軸９２１を押圧した状態で、固定部９５の軸受け９４を切欠９３内にはめ込み、その後、軸受け９４の貫通孔９４１に軸９２１を挿通させる。これにより、軸９２１が軸受け９４で回動自在に支持される。なお、本実施形態では、図示を省略しているが、軸９２１と軸受け９４とで構成するヒンジにおいて、軸９２１に適当な摩擦力を与えて、モニタ部９１を任意角度の状態で、その姿勢を保持できるようにしておく。なお、モニタ部９１と固定部９５との連結は、これに限られない。
【００４９】
固定部９５の両端には、フランジ９５１が設けられている（図１０、図１３、図１９−図２２Ｂ参照）。フランジには、ボルト９７を挿通するための貫通孔９５２が設けられている（図２１参照）。この貫通孔９５２にボルト９７を通し、通り抜けたボルト９７の先端側を、前述した筐体１０のネジ孔１２５にねじ込むことで、固定部９５が筐体１０に固定される。
【００５０】
固定部９５の筐体側対向面９５Ａには、信号入力端子として用いられる映像音声入力端子９６Ａと、電源コネクタ９６Ｂとが配置される（図１９、図２１参照）。固定部９５を筐体１０に固定する際に、映像音声入力端子９６Ａは、装置本体１の開口１９Ａに嵌合して映像音声出力端子４５と接続される。同様に、電源コネクタ９６Ｂは、装置本体１の開口１９Ｂに嵌合して電源コネクタ４４と接続される。これにより、装置本体１側から出力される映像音声信号を受け取って、モニタ部９１において映像の表示と音声の出力とを行うことができる。また、モニタ部９１と装置本体１とが共通の電源で駆動できることとなる。なお、モニタ部９１と、装置本体１とを、それぞれ別個の電源で駆動できるようにしてもよい。
【００５１】
一方、固定部９５の筐体とは対向しない面９５Ｂ側には、図１０および図２０に示すように、ヘッドホンジャック９６Ｃと、電源コネクタ９６Ｄとが配置される。ヘッドホンジャック９６Ｃは、前述した映像音声入力端子９６Ａから内部回路９８（図１９参照）を経て分岐された音声信号が、図示しない配線を介して供給される。従って、このヘッドホンジャック９５Ｃにヘッドホンプラグを接続することで、音声をヘッドホンで楽しむことができるようになる。電源コネクタ９６Ｄは、装置本体１に設けられたものと同様に、電源コネクタと接続可能であり、外部からの電力の供給を受ける。この電源コネクタ９６Ｄは、図２２Ａに示すように、電圧調整回路８７を経て、装置本体１に通じる電源コネクタ９６Ｂと接続されると共に、モニタ部９１にも接続され、電力が供給される。
【００５２】
次に、本発明の他の実施形態について説明する。ここでは、装置本体１は、前述した実施形態と同じものを用いるものとする。すなわち、以下の実施形態では、モニタ装置の構造が前述した実施形態のものと異なっている。従って、以下では、同様に構成され部分については、同一の符号を付することとし、相違点を中心として説明する。
【００５３】
図２３から図２７に、本実施形態のモニタ装置を装置本体に装着したエンタテインメント装置の構成を示す。
【００５４】
前記モニタ装置９０は、図２３から図２７に示すように、画像の表示、音響出力を行うためのモニタ部９１と、このモニタ部９１を筐体１０に着脱可能に連結固定する固定部９５とを有する。モニタ部９１と固定部９５とは、前述した図１１に示すものと同様に、回動自在に連結されている。回動範囲は、例えば、モニタ部９１が装置本体の蓋部１３と重なる状態から装置本体１に対して垂直となる状態を超えて、鈍角となる範囲まで開閉できるようにする。例えば、１８０度の回動範囲としてもよい。なお、モニタ部９１を、垂直となる状態で止めるようにしてもよい。図２３から図２７は、モニタ部９１が装置本体１の筐体１０に連結された状態を示す。また、図２８から図３４は、モニタ装置９０を装置本体１から分離した状態を示す。
【００５５】
さらに、モニタ装置９０には、ＡＣアダプタ５（図２２Ａ参照）が付属する。このＡＣアダプタ６は、ソケット５Ａをコンセントに差し込んで、商用電流を整流して直流を生成して、電源プラグ６により出力する。ＡＣアダプタ５と電源プラグ６とはケーブル７で接続されている。
【００５６】
モニタ部９１は、図２７から図３５示すように、画像表示および音響出力を行うためのパネル部分９１０と、それを固定部９５に連結固定する基部９２とで構成される。パネル部分９１０には、図１２および図１４に示すように、画像を表示するための表示デバイス９１１と、音響出力を行う音響デバイス９１２と、表示デバイスの輝度調整操作部９１３と、音量調整操作部９１４とが配置されている。本実施形態では、パネル部分９１０は、装置本体１の蓋部１３のみならず、装置本体１の上面をほぼ覆う形態としている。パネル部分９１０をこのような形態とした理由は、後述するように、表示デバイス９１１をより広い面積とするためである。なお、パネル部分９１０は、その四隅に、曲率が設けられている。これは、デザイン的な考慮である。このようにすることにより、モニタ装置を後付けする場合にも、外観デザインに対する違和感を与えにくいという利点がある。もちろん、この部分を他の形態とする構成としてもよい。
【００５７】
表示デバイス９１１は、大きさの点を除いて、基本的には、第１の実施形態と同様の構成を有する。この表示デバイス９１１は、第１の実施形態と同様に、モニタ部９１を装置本体１の蓋部１３に重なる状態とした場合に、蓋部１３の上面に対向する面に表示面９１１ａが設けられる。従って、モニタ部９１を引き起こして、図２７に示すように、装置本体１に対して立ち上がる姿勢とした場合に、表示面９１１ａが正面側に向くこととなる。
【００５８】
音響デバイス９１２は、基本的に第１の実施形態と同様に、左チャネル用および右チャネル用の各スピーカを配置している。また、図示していないが、これらのスピーカを駆動するための回路が、前述したパネル部分９１０の内部空間９１５に配置される。
【００５９】
基部９２は、本実施形態の場合、パネル部分９１０と一体的に設けられている。また、図２４、図２９、図３０等に示すように、基部９２の基端側には、２箇所の切欠９３が設けられている。これらの切欠９３内には、それぞれ、図３４Ａおよび図３４Ｂに示す凸部９４１を収容する収容部９２２が設けられている。
【００６０】
固定部９５は、前述したモニタ部９１と連結される。そのため、固定部９５は、図２９、図３０、図３１および図３２に示すように、固定部９５と基部９２には、モニタ部９１を回動自在に支持する機構部分を有する。この機構部分には、軸受け９４と、これにより回動自在に支えられる軸９２３とを有する。軸受け９４内部には、固定部材９４２が、ネジ９４３により固定されている。この固定部材９４２により、軸９２３が回動可能に支持される。軸９２３は、その一端が、支持部材９２４に連結される。支持部材９２４は、ネジ９２５により、基部９２に固定される。なお、モニタ部９１は、下側部材９１ａと上側部材９１ｂとに二分割する構成となっている。これにより、まず、下側部材９１ａにおいて、軸９２３を固定部材９４２と回動可能に連結し、かつ、支持部材９２４をネジ９２５で基部９２に固定する。その後、上側部材９１ｂを下側部材９１ａに固定する。
【００６１】
一方、固定部９５は、図２３、図２５、図３５Ｂに示すように、装置本体１の筐体１０の背面側に取り付けられる。固定部９５は、前述したように、モニタ部９１を筐体１０に固定することの他に、モニタ部９１への給電を行うと共に、映像音声信号をモニタ部９１に送る機能をも有する。
【００６２】
給電、および、映像音声信号の伝送は、例えば、図示していないフラットケーブル等のリード線群により行われる。リード線群のうち２本は、基板８５において、電源プラグ用ジャック８６に接続され、直流電力の供給に用いられる。また、リード線群の他の信号線は、映像音声信号の伝達に用いられる。さらに、そのうち２本は、モニタ部９１に設けられている音量調整操作部９１４を経て戻され、ヘッドホンジャック（イヤホンジャックと称してもよい）９６Ｃ（図２０参照）に接続される。なお、への接続を優先して、ヘッドホンジャックにヘッドホンのプラグが差し込まれたとき、音響デバイス９１２による再生をオフするようにしてもよい。
【００６３】
図３４Ａ、図３４Ｂ、図３５Ｂに示すように、基板８５には、装置本体１の映像音声出力端子４５（図４参照）と接続して同映像音声出力端子４５からの、映像信号および音声信号が入力される映像音声入力端子９６Ａと、装置本体１の電源コネクタ４４（図４参照）と接続される電源コネクタ９６Ｂと、ヘッドホンジャック９６Ｃと、外部からの電源プラグ６が接続される電源コネクタ９６Ｄと、外部からモニタ部９１に対して画像入力を受け入れる画像入力端子９６Ｅと、外部に対して映像信号および音声信号を出力する映像音声出力端子９６Ｆとが配置される。また、このほかに、これらの端子等の接続を行うための回路（図示せず）が設けられる。
【００６４】
固定部９５の両端には、前述した実施形態と同様に、フランジ９５１が設けられている（図２５、図３４Ａ、図３４Ｂ参照）。フランジには、ボルト９７を挿通するための貫通孔９５２が設けられている（図３４Ｂ参照）。この貫通孔９５２にボルト９７を通し、通り抜けたボルト９７の先端側を、前述した筐体１０のネジ孔１２５にねじ込むことで、固定部９５が筐体１０に固定される。
【００６５】
固定部９５の筐体側対向面９５Ａには、図３１、図３３、図３５Ｂに示すように、信号入力端子として用いられる映像音声入力端子９６Ａと、電源コネクタ９６Ｂとが配置される。固定部９５を筐体１０に固定する際に、映像音声入力端子９６Ａは、図３５Ａに示すように、装置本体１の開口１９Ａに嵌合して映像音声出力端子４５と接続される。同様に、電源コネクタ９６Ｂは、装置本体１の開口１９Ｂに嵌合して電源コネクタ４４と接続される。これにより、装置本体１側から出力される映像音声信号を受け取って、モニタ部９１において映像の表示と音声の出力とを行うことができる。また、モニタ部９１と装置本体１とが共通の電源で駆動できることとなる。なお、モニタ部９１と、装置本体１とを、それぞれ別個の電源で駆動できるようにしてもよい。
【００６６】
一方、固定部９５の筐体とは対向しない面９５Ｂ側には、図２５、図３０、図３５Ｂに示すように、ヘッドホンジャック９６Ｃと、電源コネクタ９６Ｄと、画像入力端子９６Ｅと、映像音声出力端子９６Ｆとが配置される。ヘッドホンジャック９６Ｃは、前述した映像音声入力端子９６Ａから内部回路９８（例えば、図１９参照）を経て分岐された音声信号が、図示しない配線を介して供給される。従って、このヘッドホンジャック９５Ｃにヘッドホンプラグを接続することで、音声をヘッドホンで楽しむことができるようになる。電源コネクタ９６Ｄは、装置本体１に設けられたものと同様に、電源コネクタと接続可能であり、外部からの電力の供給を受ける。画像入力端子９６Ｅは、画像端子２５０を接続して外部から画像を受け取って、モニタ部９１において表示する場合に用いられる。映像音声出力端子９６Ｆは、外部コネクタ２００を接続して、装置本体１において生成された映像信号、音声信号を外部に出力する場合に用いられる。
【００６７】
以上に述べたかく実施形態のエンタテインメント装置は、装置本体１にモニタ装置９０を取り付けることで、当該装置のみで、ゲームを行うこと、映像再生、音響再生を行うことができる。また、モニタ装置９０は、モニタ部９１がクラムシェル構造のように、装置本体１に対して開閉することができる。このため、必要なとき、モニタ部９１を開き、不要の時、畳むことが可能となる。従って、携帯性が向上する。
【００６８】
一方、モニタ装置９０は、固定部９５においてボルトにより筐体１０に取り付けられている。このため、取り付けが容易であると共に、取り外しも容易である。
【００６９】
さらに、本実施形態では、映像信号、音声信号を外部の装置に出力することができる。
【００７０】
なお、本発明は前記各実施形態に限定されるものではなく、本発明の目的を達成できる他の構成等を含み、以下に示すような変形等も本発明に含まれる。
【００７１】
例えば、前記実施形態では、モニタ装置９０は、表示デバイスと音声デバイスの両者を有する。しかし、表示デバイスのみとすることもできる。この場合、音響再生は、例えば、ヘッドホンジャックを介してヘッドホンにより行う構成とすることができる。
【００７２】
前述した実施形態では、モニタ装置９０では、装置本体１から出力された映像音声信号を、当該装置でのみ表示等に利用する。しかし、本発明は、これに限られない。例えば、固定部９５に映像音声出力端子を設けて、外部のテレビジョン受信機等に出力することができるようにしてもよい。
【００７３】
また、前述した実施形態では、映像音声信号を、コネクタを介して装置本体１から固定部９５において受け取って、フラットケーブル８２を用いてモニタ部９１に送っている。本発明はこれに限られない。例えば、固定部９５を介さずに、映像音声信号を、モニタ部が装置本体から直接受け取る構成としてもよい。その一例として、無線による情報を受信することが挙げられる。例えば、装置本体１およびモニタ部９１の双方に、赤外線通信ポートを設けて、映像音声信号を赤外線により伝送するようにしてもよい。また、赤外線の他、マイクロ波等の電波を用いる近距離無線通信により映像音声信号を伝送するようにしてもよい。
【００７４】
さらに、図２２Ａに示すように、前述した実施形態では、電源コネクタ９６Ｄの位置と、電源コネクタ９６Ｂの位置とが異なる高さとなっている。しかし、本発明は、それに限られない。電源コネクタ９６Ｄの位置と、電源コネクタ９６Ｂの位置とを同じ高さに設定することができる。
【００７５】
【発明の効果】
以上に述べたように、本発明によれば、テレビジョン受像機に接続しても、また、それ自身でも映像を表示し、音響を再生することができる。
【図面の簡単な説明】
【図１】図１は、本発明に係るエンタテインメント装置の使用状態を表す概要斜視図。
【図２】図２は、本発明に係るエンタテインメント装置の装置本体の概要を示す斜視図。
【図３】図３は、前記装置本体における蓋部を開いた状態を示す斜視図。
【図４】図４は、前記装置本体の内部構造を概要表す斜視図。
【図５】図５は、前記装置本体の垂直方向断面図。
【図６】図６は、前記装置本体の背面図。
【図７】図７は、本発明の第１の実施形態に係るエンタテインメント装置の側面図。
【図８】図８は、本発明の第１の実施形態に係るエンタテインメント装置の平面図。
【図９】図９は、本発明の第１の実施形態に係るエンタテインメント装置の正面図。
【図１０】図１０は、本発明の第１の実施形態に係るエンタテインメント装置の背面図。
【図１１】図１１は、本発明の第１の実施形態に係るエンタテインメント装置においてモニタ装置を引き起こす状態を示す側面図。
【図１２】図１２は、本発明の第１の実施形態に係るエンタテインメント装置においてモニタ装置を引き起こした状態を示す正面図。
【図１３】図１３は、本発明の第１の実施形態に係るエンタテインメント装置に用いられるモニタ装置の側面図。
【図１４】図１４は、前記第１の実施系谷係るモニタ装置を構成するモニタ部の構成を示す下面図。
【図１５】図１５は、前記モニタ装置を構成するモニタ部の構成を示す上面図。
【図１６】図１６は、前記モニタ装置を構成するモニタ部の構成を示す側面図。
【図１７】図１７は、前記モニタ装置を構成するモニタ部の構成を示す背面図。
【図１８】図１８は、前記モニタ装置を構成するモニタ部の構成を示す断面図。
【図１９】図１９は、前記モニタ装置を構成する固定部の構成を示す上面図。
【図２０】図２０は、前記モニタ装置を構成する固定部の構成を示す背面図。
【図２１】図２１は、前記モニタ装置を構成する固定部の構成を示す正面図。
【図２２】図２２Ａは前記モニタ装置を構成する固定部の構成を示す断面図、図２２Ｂはその側面図。
【図２３】図２３は、本発明の第２の実施形態に係るエンタテインメント装置の側面図。
【図２４】図２４は、本発明の第２の実施形態に係るエンタテインメント装置の平面図。
【図２５】図２５は、本発明の第２の実施形態に係るエンタテインメント装置の背面図。
【図２６】図２６は、本発明の第２の実施形態に係るエンタテインメント装置の正面図。
【図２７】図２７は、本発明の第２の実施形態に係るエンタテインメント装置においてモニタ装置を引き起こした状態を示す正面図。
【図２８】図２８は、本発明の第２の実施形態に係るエンタテインメント装置に用いられるモニタ装置の側面図。
【図２９】図２９は、前記第２の実施形態に係るモニタ装置のモニタ部と固定部との連結機構部の構成を示す部分破断上面図。
【図３０】図３０は、前記第２の実施形態に係るモニタ装置のモニタ部と固定部との連結機構部の構成を示す部分破断背面図。
【図３１】図３１は、前記第２の実施形態に係るモニタ装置のモニタ部と固定部との連結機構部の構成を示す、図２９のＡ−Ａ断面図。
【図３２】図３２は、前記第２の実施形態に係るモニタ装置のモニタ部と固定部との連結機構部の構成を示す、図２９のＢ−Ｂ断面図。
【図３３】図３３は、前記モニタ装置を構成するモニタ部の構成を示す正面図。
【図３４】図３４Ａは、固定部の内部構成を示す一部破断背面図、図３４Ｂは、固定部の内部構成を示す一部破断正面図。
【図３５】図３５Ａは、装置本体の、前記モニタ装置の固定部との接続部分を示す部分断面図。図３５Ｂは、モニタ装置の固定部の装置本体との接続部分を示す一部破断上面図、図３５Ｃは、画像端子の一例を示す平面図、図３５Ｄは、外部コネクタの一例を示す平面図、図３５Ｅは、電源プラグの一例を示す平面図。
【符号の説明】
１…装置本体
２…コントローラ
３…テレビジョン受信機
４…光ディスク
１０…筐体
１３…蓋部
１９Ａ、１９Ｂ…開口
９０…モニタ装置
９１…モニタ部
９２…基部
９３…切欠
９４…軸受け
９５…固定部
９６Ａ…映像音声入力端子
９６Ｂ…電源コネクタ
９６Ｃ…ヘッドホンジャック
９６Ｄ…電源コネクタ
９６Ｅ…画像入力端子
９６Ｆ…映像音声出力端子
９７…ボルト
１２５…ネジ孔
２００…外部コネクタ
９１１…表示デバイス
９１２…音響デバイス
９２１…軸
９５１…フランジ
【図１】
0003584010.tif 000002
【図２】
0003584010.tif 000003
【図３】
0003584010.tif 000004
【図４】
0003584010.tif 000005
【図５】
0003584010.tif 000006
【図６】
0003584010.tif 000007
【図７】
0003584010.tif 000008
【図８】
0003584010.tif 000009
【図９】
0003584010.tif 000010
【図１０】
0003584010.tif 000011
【図１１】
0003584010.tif 000012
【図１２】
0003584010.tif 000013
【図１３】
0003584010.tif 000014
【図１４】
0003584010.tif 000015
【図１５】
0003584010.tif 000016
【図１６】
0003584010.tif 000017
【図１７】
0003584010.tif 000018
【図１８】
0003584010.tif 000019
【図１９】
0003584010.tif 000020
【図２０】
0003584010.tif 000021
【図２１】
0003584010.tif 000022
【図２２】
0003584010.tif 000023
【図２３】
0003584010.tif 000024
【図２４】
0003584010.tif 000025
【図２５】
0003584010.tif 000026
【図２６】
0003584010.tif 000027
【図２７】
0003584010.tif 000028
【図２８】
0003584010.tif 000029
【図２９】
0003584010.tif 000030
【図３０】
0003584010.tif 000031
【図３１】
0003584010.tif 000032
【図３２】
0003584010.tif 000033
【図３３】
0003584010.tif 000034
【図３４】
0003584010.tif 000035
【図３５】
0003584010.tif 000036